(57)【要約】【課題】循環風路に水冷式の除湿器を有するものにおいて、その除湿器を通る空気による注入水の巻き上げを生じにくくできるようにする。【解決手段】外槽の内部（ドラムの内部）の空気を循環させる循環風路に設けた除湿器３９が、下部から上部へ空気を通す風路４０を内部に有し、その風路４０を通る空気を、除湿器３９の上部（風路４０の通風下流側）に設けた注水部４５から注入する水により冷却凝縮して除湿をするものであるが、その注水部４５は、風路４０から張り出して下方に開放し風路４０から遮蔽部４７により遮風している。よって、風路４０を通る風が注水部４５には達せず、かくして、除湿器３９を上述のように通る空気による注入水の従来のような巻き上げを生じにくくすることができる。【選択図】図１
2010273716.tif 000002
【特許請求の範囲】
【請求項１】
外箱と、
この外箱の内部に配設された外槽と、
この外槽の内部に配設され、通気が可能な孔を有するドラムと、
このドラムを回転させる駆動装置と、
前記外槽の外周囲に配設された循環風路と、
この循環風路に設けられ、前記外槽内部の空気を該循環風路に吸出して該循環風路を通し外槽内部に戻す循環を行わしめる送風機と、
前記循環風路に設けられ、該循環風路を通る空気の除湿をする除湿器と、
前記循環風路に設けられ、前記除湿をした空気を加熱する加熱器とを具備し、
前記除湿器は、下部から上部へ空気を通す風路を内部に有するものであって、且つ上部にその風路から側方に張り出させて下方に開放し風路から遮風された注水部を有し、この注水部から注入される水により前記風路を通る空気を冷却凝縮することにより除湿をするものとしたことを特徴とする衣類乾燥機。
【請求項２】
除湿器は、注水部下方の壁面を傾斜面又は曲面としていることを特徴とする請求項１記載の衣類乾燥機。
【請求項３】
除湿器は、循環風路を通る空気が折り返して風路に流入するものであって、その折り返し元側とは反対側の外側の方向に風路を拡大していることを特徴とする請求項１又は２記載の衣類乾燥機。
【請求項４】
除湿器は、注水部を、高さ位置を異ならせて複数有し、その上側の注水部の注水量を下側の注水部の注水量より少なく設定したことを特徴とする請求項１ないし３のいずれかに記載の衣類乾燥機。
【請求項５】
除湿器は、風路に、注水部から注入した水を風路を通る空気により跳ね上げるためのリブを有し、そのリブを有した部分からの風路断面積を上方へ漸次拡大していることを特徴とする請求項１ないし４のいずれかに記載の衣類乾燥機。
【発明の詳細な説明】
【技術分野】
【０００１】
本発明は、循環風路に水冷式の除湿器を有する衣類乾燥機に関する。
【背景技術】
【０００２】
従来より、衣類乾燥機においては、ドラムを収容する外槽の外部に循環風路を配設し、この循環風路に送風機と除湿器及び加熱器を設けたものが知られている（例えば特許文献１〜４参照）。
【０００３】
これらのものの場合、送風機が駆動されることによる送風作用によって、外槽内部、ひいてはドラム内部の空気が循環風路を通して循環される。このとき、同時に加熱器によって循環空気が加熱され、従って、循環空気は温風と化し、この温風が外槽内部、ひいてはドラム内部に供給されることになって、ドラム内部に収容された洗濯物を加熱する。又、その洗濯物を加熱した空気は洗濯物から湿気を奪って除湿器に至り、この除湿器で除湿される。そして、その除湿された空気が再び加熱器により加熱されてドラム内部に供給される。これを繰り返すことにより、ドラム内部の洗濯物が乾燥される。
【先行技術文献】
【特許文献】
【０００４】
【特許文献１】特開２００３−  ７９９８７号公報
【特許文献２】特開２００３−１１７２８３号公報
【特許文献３】特開２００３−２４５４８９号公報
【特許文献４】特開２００３−１３５８９０号公報
【発明の概要】
【発明が解決しようとする課題】
【０００５】
上記従来のものでは、除湿器は水冷式であり、具体的には、下部から上部へ空気を通す風路を内部に有し、且つ上部から注水するものであって、その注入された水により、風路を通る空気を冷却凝縮することにより除湿をするものとなっている。
このものの場合、注入されて落ちる水が、風路を下部から上部へ通る空気に巻き上げられる。この巻き上げられた水は、除湿器より循環風路下流側の送風機に吸い込まれて該送風機に浸入し、更に送風機に送り出されてそれより下流側の加熱器に浸入することがあり得る。その結果、送風機並びに加熱器の、性能の低下や、寿命の低下、並びに信頼性の低下を惹起するおそれを有する。
【０００６】
本発明は上述の事情に鑑みてなされたものであり、従ってその目的は、循環風路に水冷式の除湿器を有するものにおいて、その除湿器を通る空気による注入水の巻き上げを生じにくくできる衣類乾燥機を提供するにある。
【課題を解決するための手段】
【０００７】
上記目的を達成するために、本発明の衣類乾燥機においては、外箱と、この外箱の内部に配設された外槽と、この外槽の内部に配設され、通水及び通気が可能な孔を有するドラムと、このドラムを回転させる駆動装置と、前記外槽の外周囲に配設された循環風路と、この循環風路に設けられ、前記外槽内部の空気を該循環風路に吸出して該循環風路を通し外槽内部に戻す循環を行わしめる送風機と、前記循環風路に設けられ、該循環風路を通る空気の除湿をする除湿器と、前記循環風路に設けられ、前記除湿をした空気を加熱する加熱器とを具備し、前記除湿器は、下部から上部へ空気を通す風路を内部に有するものであって、且つ上部にその風路から張り出させて下方に開放し風路から遮風された注水部を有し、この注水部から注入される水により前記風路を通る空気を冷却凝縮することにより除湿をするものとしたことを特徴とする（請求項１の発明）。
【発明の効果】
【０００８】
上記手段によれば、注水部は、下部から上部へ空気を通す風路を内部に有する除湿器の上部に存するものの、その風路から張り出させて下方に開放し風路から遮風されているので、風路を通る風が注水部には達せず、かくして、除湿器を通る空気による注入水の巻き上げを生じにくくすることができる。
【図面の簡単な説明】
【０００９】
【図１】本発明の第１実施例を示す主要部分の正面図
【図２】図１の右側から見た主要部分の側面図
【図３】ドラム式洗濯乾燥機（衣類乾燥機）全体の開扉状態の外観斜視図
【図４】ドラム式洗濯乾燥機の内部構造の斜視図
【図５】ドラム式洗濯乾燥機の背板を取外した状態の背面図
【図６】主要部分の分解斜視図
【図７】図１のVII−VII線に沿う部分横断面図
【図８】注水部下方の壁面の異なる例を示す部分縦断面図
【図９】注水部の異なる例を示す図７相当図
【図１０】本発明の第２実施例を示す図１相当図
【図１１】本発明の第３実施例を示す図１相当図
【図１２】参考例を示す図１相当図
【発明を実施するための形態】
【００１０】
以下、本発明をドラム式洗濯乾燥機に適用して、その第１実施例（第１の実施形態）につき、図１ないし図７を参照して説明する。
まず、図３にはドラム式洗濯乾燥機の外観を示しており、機全体の外殻を外箱１で構成している。この外箱１はほゞ直方体状を成しており、底部に台板２を有している。外箱１の前面部１ａはやゝ上向きの傾斜状を成しており、そのほゞ中央部に円形の洗濯物出入口３を形成している。この洗濯物出入口３を開閉する扉４は、外箱１の前面部１ａにヒンジ５を介して横方向に回動可能に取付けており、そのほか、外箱１の前面部１ａには、上部に操作パネル６を設け、その左側方部に引出し式の洗剤投入ケース７を設けている。
【００１１】
外箱１の内部には、図４に示す外槽８を配設している。この外槽８は、軸方向が前後の横軸状で後面を閉塞したほゞ円筒状を成すものであり、それを、前上がりに傾斜する状態で、前記台板２上に左右一対（一方側のみ図示）の弾性支持機構９を介して支持している。この外槽８の前面の開口部は、図示しないが、べローズを介して前記洗濯物出入口３に連通しており、外槽８の上部８ａの前部には吹出し口１０を形成し、外槽８の背部８ｂの上部に吹込み口１１を形成している。
【００１２】
外槽８の内部には、図３に示すドラム１２を回転可能に配設している。このドラム１２は、詳細には図示しないが、外槽８と同様に軸方向が前後の横軸状で後面を閉塞したほゞ円筒状を成すものであり、それを、前上がりに傾斜する状態で、外槽８の内部に配設している。ドラム１２の周壁部には、通水及び通風が可能な孔１３をほゞ全域に多数形成しており、ドラム１２の内周部には、洗濯物掻き上げ用のバッフル１４を複数（１個のみ図示）設けている。
【００１３】
又、ドラム１２の前面の開口部は前記洗濯物出入口３に臨んでおり、ドラム１２は洗濯物出入口３から投入される洗濯物（図示せず）を収容する。更に、ドラム１２は、外槽８の背部８ｂに図４に示すように取付けたモータ１５により回転駆動するようにしており、従って、モータ１５はドラム１２を回転させる駆動装置として機能するようになっている。ドラム１２は、洗いの際には洗濯槽として機能し、脱水の際には脱水槽として機能し、そして、乾燥の際には乾燥槽として機能するものである。
【００１４】
外槽８の上方（外箱１内の最上部）部には、図５に示す給水弁１６を配設しており、この給水弁１６を通じて水道水が前記洗剤投入ケース７を介して外槽８の内部に供給されるようになっている。又、図示はしないが、外槽８の底部には機外に連なる排水路を設けており、この排水路の途中に排水弁を設けていて、これらにより、外槽８内に貯水し、そして外槽８内から機外に排水し得るようになっている。
【００１５】
外槽８の外周部には、図４に示す循環風路１７を配設しており、この循環風路１７は、一端部を外槽８の前記吹出し口１０に接続した上部風路１８を有している。この上部風路１８は、一端部近くの上側にフィルタ収容部１９を有しており、このフィルタ収容部１９より前側に蛇腹状の可撓部２０ａを有する可撓性ダクト２０を接続していて、この可撓性ダクト２０を前記吹出し口１０に接続している。
【００１６】
フィルタ収容部１９には、図３にカバー２１ａのみを示したリントフィルタユニット２１を上方から出し入れ可能に収容するようになっており、それに対して、前記外箱１の天板部１ｂには、カバー２１ａの外形に対応したリントフィルタユニット出し入れ用の開口部２２を形成している。従って、リントフィルタユニット２１は、外箱１の上方から開口部２２を通してフィルタ収容部１９に出し入れされるようになっている。
なお、上部風路１８のフィルタ収容部１９より後方の中間部には、図示しない固定リントフィルタを配設している。
【００１７】
前記上部風路１８の他端部（後端部）には、図４に示す下向きの接続口２３を設けており、この接続口２３に除湿用ダクト２４を接続している。除湿用ダクト２４の構成については後に詳述する。
外槽８の上部８ａには送風機２５を配設しており、この送風機２５のケーシング２６の吸入口に上記除湿用ダクト２４の一端部を接続している。送風機２５は、ケーシング２６の内部に配設した送風羽根（図示せず）をモータ２７により回転駆動するものであり、ケーシング２６の吐出口に加熱器２８のケース２９の入口部を接続している。
【００１８】
加熱器２８は、ケース２９の内部に加熱手段である電気ヒータ（図示せず）を配設したものであり、ケース２９の出口部に、蛇腹状の可撓部３０ａを有する可撓性ダクト３０の一端部を接続している。この可撓性ダクト３０は、他端部を下方に向けたほゞＬ字形を成しており、この可撓性ダクト３０の他端部を、外槽８の背部８ｂの左上部（外槽８をやゝ後側から見た図４では右上部）に設けた後部風路３１の上部に接続している。この後部風路３１は、外槽８の前記吹込み口１１に連通している。
以上の、上部風路１８と、除湿用ダクト２４、送風機２５（ケーシング２６）、加熱器２８（ケース２９）、可撓性ダクト３０、及び後部風路３１により、前記循環風路１７を構成している。
【００１９】
さて、前記除湿用ダクト２４は、詳細には図１に示すように、上下方向に長い筒状の立下がり部３２と、円弧状に形成された中空状の折返し部３３と、上下方向に長い筒状の立上がり部３４とを有している。そのうち、立下がり部３２は、上端部に前記上部風路１８の接続口２３に接続される入気口３５を有しており、この入気口３５部分から下方へ垂直に延びるように形成している。折返し部３３は、立下がり部３２の下端部にて上方へ折り返すように形成しており、立上がり部３４は、折返し部３３から上方へ垂直に延びるように形成している。
【００２０】
図６には、上述の除湿用ダクト２４を構成するダクト本体３６とダクトカバー３７とを示している。このうち、ダクト本体３６は、立下がり部３２の全部を構成すると共に、折返し部３３の大部分及び立上がり部３４の大部分を構成するものである。一方、ダクトカバー３７は、折返し部３３の一部と立上がり部３４の一部を構成するものであり、このダクトカバー３７をダクト本体３６に被せて、図示しない複数のねじにより結合することで、折返し部３３及び立上がり部３４を形成するようになっている。
【００２１】
折返し部３３の最下部より立上がり部３４側の若干高い部分には、図１にも示すように、下方へ突出する排水口３８を設けている。この排水口３８には、図示しないが、排水チューブの一端部を接続し、その排水チューブの他端部を、前記の排水弁よりも下流側（機外側）に接続している。
【００２２】
立上がり部３４は除湿器３９を構成するもので、以下にその構成を詳述する。すなわち、立上がり部３４の内部には、上下方向に延びる風路４０と、同じく上下方向に延びるバイパス路４１とを設けている。そのうち、風路４０の内面には複数のリブ４２を設けており、これらのリブ４２は、互い違いに、且つ、立上がり部３４の長手方向（上下方向）に傾斜するようにして、いわゆるラビリンス状に設けている。
【００２３】
一方、バイパス路４１は、風路４０と隔離するリブ４３及びこのリブ４３の上部４３ａと平行なリブ４４とで、風路４０よりも細い通路状に形成しており、その内面には、上記リブ４２に相当するものを形成していない。又、バイパス路４１の上端部４１ａは、風路４０側に傾斜するように設けており、従って、リブ４３の上部４３ａとリブ４４は風路４０側に傾斜している。
【００２４】
風路４０は、上部４０ａをバイパス路４１側（立下がり部３４側）とは反対側の側方にに張り出させて拡張することにより、上部の風路断面積を拡大している。この風路断面積を拡大した部分、すなわち、風路４０から張り出させた上部４０ａにおいて、更にその外側には注水部４５を形成している。この注水部４５は、上記風路４０の上部４０ａから更に側方に張り出させて膨出した中空の膨出部４６と、この膨出部４６の風路４０側を遮蔽した遮蔽部４７と、膨出部４６の上面部４６ａに形成した注水口４８とで構成したものである。
【００２５】
そして、その注水部４５において、遮蔽部４７は、図７に示すように、両側部を膨出部４６の両内側面４６ｂ，４６ｃと一体に連ねており、それによって、注水部４５を膨出部４６と遮蔽部４７とで囲い、注水部４５が注水室となるようにしている。又、遮蔽部４７は、図１に示すように、下部を立上がり部３４の内面から離間させており、これによって注水部４５が下方に開放して、風路４０から遮蔽部４７により遮風されるようにしている。
【００２６】
更に、立上がり部３４は、注水部４５下方の壁面を傾斜面４９としている。
注水口４８には、図５に示すように、立上がり部３４外において注水ホース５０の一端部を接続しており、注水ホース５０の他端部は前記給水弁１６の分岐口（詳しくは図示せず）に接続していて、乾燥の際に開放するその分岐口から注水ホース５０を介して水道水が供給されるようになっている。
【００２７】
このほか、立上がり部３４の最上部には、前記送風機２５の吸入口に接続される出気口５１（図１参照）を形成しており、この出気口５１に対して送風機２５の吸入口は、図２に２５ａで示すが、除湿器３９の風路４０の直線延長上からずらす配置としている。
更に、図６には、ダクトカバー３７の内面に前記リブ４２と共に形成したリブ５２，５３，５４を示しており、これらは、折返し部３３の大部分及び立上がり部３４の大部分の周縁部と、リブ４３，４４とにそれぞれ嵌合するものである。
【００２８】
次に、上記構成のものの作用を説明する。
上記構成において、ドラム１２内に収容された洗濯物（図示せず）を乾燥させる場合には、モータ１５によりドラム１２を正逆両方向に低速度で回転させながら、送風機２５を駆動すると共に、加熱器２８の電気ヒータを発熱させ、更に、給水弁１６の分岐口を開放させて該分岐口から注水ホース５０を介して除湿器３９の注水部４５（注水口４８）に水を供給する。
【００２９】
このうち、送風機２５の送風作用により、循環風路１７内の空気が吹込み口１１から外槽８の内部ひいてはドラム１２の内部に吹き込まれると共に、ドラム１２の内部ひいては外槽８の内部の空気が外槽８の吹出し口１０から循環風路１７へ吹き出されることを繰り返すことによって、外槽８の内部（ドラム１２の内部）の空気が循環風路１７を通して循環される（図４の矢印参照）。
【００３０】
このときの風の流れをもう少し詳しく説明する。循環風路１７内の空気は加熱器２８の電気ヒータにより加熱され、その加熱された空気（温風）が可撓性ダクト３０及び後部風路３１を通り、吹込み口１１から外槽８の内部ひいてはドラム１２の内部に供給される。ドラム１２の内部に供給された温風は、ドラム１２の内部の洗濯物を加熱して、洗濯物から湿気を奪う。洗濯物から湿気を奪った温風は、吹出し口１０から循環風路１７へ出て、可撓性ダクト２０を通り、上部風路１８を後方へ向けて流れる。この上部風路１８を流れる空気にリントが含まれていると、そのリントは、大部分がリントフィルタユニット２１により捕獲され、それを通過したリントも固定リントフィルタにて捕獲される。
【００３１】
上部風路１８を流れた温風は、除湿用ダクト２４において立下がり部３２を上方から下方へ流れた後、折返し部３３にて上方に向きを変え、除湿器３９の風路４０及びバイパス路４１（立上がり部３４の内部）を下方から上方へ流れる（図１及び図２の矢印参照）。
【００３２】
このとき、給水弁１６の分岐口からの水が注水部４５に供給されていることにより、該注水部４５から除湿器３９の内部（風路４０）に注水される。この風路４０に注入された水は、傾斜面４９から風路４０の内周面を伝い、更に、複数のリブ４２から落ちたり該リブ４２を伝ったりして下方へ流下する。この流下する水に対して、除湿器３９の風路４０を下方から上方へ流れる空気は、その水を跳ね上げつつ、その水と接触して冷却され凝縮されて除湿される。
【００３３】
なお、風路４０を通る空気の除湿をすることにより発生した水は、除湿器３９の内部を流下する水と共に除湿用ダクト２４の内底部に溜められ、その水位が排水口３８の高さを越えて後、排水口３８からそれに接続した排水チューブを介して排水路に排出される。
【００３４】
そして、除湿器３９の風路４０を流れた空気は、送風機２５に吸入された後、加熱器２８に送られ、そこで再び加熱器２８の電気ヒータにより加熱される。加熱された空気は、前述のように可撓性ダクト３０及び後部風路３１を通り、吹込み口１１から外槽８の内部ひいてはドラム１２の内部に戻されるというように流れる。このように空気が循環されることで、回転ドラム１２の内部の洗濯物が乾燥される。
【００３５】
このように上記構成のものでは、外槽８の内部（ドラム１２の内部）の空気を循環させる循環風路１７に設けた除湿器３９が、下部から上部へ空気を通す風路４０を内部に有し、その風路４０を通る空気を、除湿器３９の上部（風路４０の通風下流側）に設けた注水部４５から注入する水により冷却凝縮して除湿をするものであるが、その注水部４５は、風路４０から張り出して下方に開放し風路４０から遮蔽部４７により遮風している。よって、風路４０を通る風が注水部４５には達せず、かくして、除湿器３９を上述のように通る空気による注入水の従来のような巻き上げを生じにくくすることができる。よって又、巻き上げた水の送風機２５や更には加熱器２８への浸入を少なくでき、それら送風機２５並びに加熱器２８の、性能の低下や、寿命の低下、並びに信頼性の低下を惹起するおそれをなくすことができる。
【００３６】
加えて、上記構成のものでは、除湿器３９の注水部４５下方の壁面を傾斜面４９としており、それによって、注水部４５から注入された水が跳ねることなくスムーズに流れるので、注入水の巻き上げを一層生じにくくすることができ、よって又、巻き上げた水の送風機２５や更には加熱器２８への浸入も一層少なくできて、それら送風機２５並びに加熱器２８の、性能の低下や、寿命の低下、並びに信頼性の低下を惹起するおそれを一段となくすことができる。
【００３７】
更に、上記構成のものでは、除湿器３９の風路４０のリブ４２部分より下流側である上部４０ａの風路断面積を拡大していることにより、風路４０を通る空気の風速を送風機２５に近い部分で減じることができて、送風機２５に近い部分で注入水が風速で巻き上がることをなくし得、注入水の送風機２５に対する巻き上げを更に生じにくくすることができる。しかも、この場合、風路４０の断面積拡大部分は風路４０の一部であり、それによる占有スペースを小さく留めることもできる。
【００３８】
又、循環風路１７を通る空気が折り返して風路４０に流入する構成の除湿器３９にあっては、その折り返し元側とは反対側が空気（図１にＷ１で示す）の流れ損失が少なくて流れやすいことから風速が高く、反対に折り返し元側は空気（図１にＷ２で示す）流れ損失が大きくて流れにくく風速が低い事情にあり、それに対して、風路４０の上記風路断面積拡大部分は、折り返し元側とは反対側の外側の方向に風路４０を拡大している。これにより、風路４０を通る空気の風速を高速側で減じることができて、注入水の巻き上げをより効果的に生じにくくすることができる。
【００３９】
更に、除湿器３９にバイパス路４１を形成したリブ４３の上部４３ａは風路４０側に傾斜しており、これによって風路４０を通る空気の流れを変え、送風機２５にその空気がストレートに入ることのないようにしている。これにより、わずかでも巻き上がった水が送風機２５に浸入しやすくなることのないようにできる。
又、図２に示したように、送風機２５の吸入口２５ａは除湿器３９の風路４０の直線延長上からずらす配置としており、これによっても、わずかでも巻き上がった水が送風機２５に浸入しやすくなることのないようにできる。
【００４０】
なお、除湿器３９の注水部４５下方の壁面は、傾斜面４９でなく、図８に示すように曲面６１であっても良い。
又、注水部４５の遮蔽部４７は、図９に示すように、両側部を膨出部４６の両内側面４６ｂ，４６ｃと一体に連ねずに、それら両内側面４６ｂ，４６ｃから少し離間させ、このような構成で、注水部４５を膨出部４６と遮蔽部４７とで囲い、注水部４５が注水室となるようにしても良い。
【００４１】
以上に対して、図１０ないし図１２は本発明の第２及び第３実施例（第２及び第３の実施形態）と参考例を示すもので、それぞれ、第１実施例と同一の部分には同一の符号を付して説明を省略し、異なる部分についてのみ述べる。
【００４２】
［第２実施例］
図１０に示す第２実施例においては、除湿器３９の注水部を、注水部４５と注水部７１とで高さ位置を異ならせて（注水部４５より注水部７１を低い位置にして）複数（この場合、２つ）設け、その上側の注水部４５の注水量を下側の注水部７１の注水量より少なく設定している。
【００４３】
上記注水部７１は、風路４０から直接（風路断面積を拡大した部分を介さずに）設ける以外、注水部４５と同様の構成にて、膨出部４６と同様の膨出部７２と、遮蔽部４７と同様の遮蔽部７３、及び注水口４８と同様の注水口７４を有しており、注水口７４は、注水ホース５０と同様の注水ホース（図示せず）を介して給水弁１６の分岐口に接続している。又、注水部７１下方の壁面は傾斜面７５としている。
【００４４】
このものの場合、まず、除湿器３９が、注水部を注水部４５と注水部７１とで高さ位置を異ならせて複数有することにより、風路４０に対する注水範囲が増すので、除湿性能を高くすることができる。そして、上側の注水部４５の注水量を下側の注水部７１の注水量より少なく設定していることにより、送風機２５に近い側の注水量を少なくして、注入水の送風機２５に対する巻き上げを一層生じにくくすることができる。
なお、上側の注水部４５の注水量を下側の注水部７１の注水量より少なくしたことによる全体注水量の不足分は、下側の注水部７１の注水量で充分に補うことができる。
【００４５】
［第３実施例］
図１１に示す第３実施例においては、除湿器３９の風路４０におけるリブ４２を有した部分からの風路断面積を、長い傾斜面８１で示すように上方へ漸次拡大している。
【００４６】
この場合、例えばリブ４２部分の風路断面積をＡ、風速をａとし、リブ４２部分から５〔ｃｍ〕下流の風路断面積をＢ、風速をｂとし、リブ４２部分から１０〔ｃｍ〕下流の風路断面積をＣ、風速をｃとし、送風機２５最近部分の風路断面積をＤ、風速をｄとすれば、Ａ＜Ｂ＜Ｃ＜Ｄとなっており、それによってａ＞ｂ＞ｃ＞ｄとなり、下流に行くにつれて風速を漸次減ずることができ、送風機２５に近い部分では風速を最も減じることができる。
【００４７】
このようにすることにより、送風機２５に近い部分では注入水が風速で巻き上がることがなくなり、よって、この場合も注入水の送風機２５に対する巻き上げを一層生じにくくすることができる。
【００４８】
［参考例］
図１２に示す参考例においては、除湿器３９の風路４０の下部にのみリブ４２を設け、それより上方（上流側）の部分に、複数段（この場合、２段）に風路断面積拡大部分９１，９２を設けており、更に、そのうちの上流側の風路断面積拡大部分９１に注水部９３を前記注水部４５，７１同様に設けている。
【００４９】
従って、注水部９３も、膨出部４６と同様の膨出部９４と、遮蔽部４７と同様の遮蔽部９５、及び注水口４８と同様の注水口９６を有しており、注水口９６は、注水ホース５０と同様の注水ホース（図示せず）を介して給水弁１６の分岐口に接続している。又、注水部９３下方の壁面は傾斜面９７としている。
【００５０】
このようにしても、風路４０を通る空気の風速を下流に行くに連れ順に減ずることができて、注入水の送風機２５に対する巻き上げを生じにくくすることができるし、特に、下段の風路断面積拡大部分９１のリブ４２で跳ね上げられた水が、それより下流側では上段の風路断面積拡大部分９２による風の減速効果で、送風機２５及びそれより更に下流の加熱器２８に達することを防止することができる。
【００５１】
このほか、本発明は上記し且つ図面に示した実施例にのみ限定されるものではなく、特に各実施例は適宜組み合わせて実施するようにしても良く、又、機全体としては乾燥機能のみを有するか、或いは乾燥機能を主に有するものであっても良いなど、要旨を逸脱しない範囲内で適宜変更して実施し得る。
【符号の説明】
【００５２】
図面中、１は外箱、８は外槽、１２はドラム、１３は孔、１５はモータ（駆動装置）、１７は循環風路、２５は送風機、２８は加熱器、３３は折返し部、３９は除湿器、４０は風路、４２はリブ、４５は注水部、４９は傾斜面、６１は曲面、７１は注水部、７５は傾斜面を示す。
【図１】
2010273716.tif 000003
【図２】
2010273716.tif 000004
【図３】
2010273716.tif 000005
【図４】
2010273716.tif 000006
【図５】
2010273716.tif 000007
【図６】
2010273716.tif 000008
【図７】
2010273716.tif 000009
【図８】
2010273716.tif 000010
【図９】
2010273716.tif 000011
【図１０】
2010273716.tif 000012
【図１１】
2010273716.tif 000013
【図１２】
2010273716.tif 000014